(57)【特許請求の範囲】
【請求項１】
洗い場と、前記洗い場に隣接して設置される浴槽と、前記洗い場および前記浴槽の周囲に設置される複数の壁パネルと、を備えた浴室ユニットにおいて前記浴槽の前記洗い場の側を覆うバスエプロンの取付構造であって、
前記洗い場の側からみて前記バスエプロンが左右に分割された第１のエプロンおよび第２のエプロンと、
前記浴槽の周辺部に設けられたリムの前記洗い場の側の裏面に形成され前記バスエプロンが係止される被係止部と、
前記第１のエプロンおよび前記第２のエプロンのそれぞれの上端部に設けられ前記被係止部に係止される係止部と、
前記第２のエプロンの前記第１のエプロンの側において前記浴槽の側の背面に設けられ前記第１のエプロンの端部を支持する第１の支持部と、
前記壁パネルまたは前記浴槽に取り付けられ前記第１のエプロンおよび前記第２のエプロンのそれぞれの端部を支持する支持部材と、
前記洗い場の前記浴槽の側に形成された土手部に設けられ前記第２のエプロンを下から押し上げて前記第２のエプロンの前記係止部を前記被係止部に係止させる第２の支持部と、
前記第２のエプロンの前記第１のエプロンの側の下端部の前後方向の移動を規制する規制部と、
を備えたことを特徴とするバスエプロンの取付構造。
【請求項２】
前記第２の支持部は、前記第１の支持部の当接部の下面に当接する受け面を有し、前記受け面の上下位置を調整可能な高さ調整部材であることを特徴とする請求項１記載のバスエプロンの取付構造。
【請求項３】
前記高さ調整部材は、
前記受け面を途中に有し前記土手部に取り付けられたベース部材に螺合されるねじ部と、
前記受け面よりも上方に設けられ前記ねじ部を回転させて前記受け面の前記上下位置を調整する掴み部と、
を有することを特徴とする請求項２記載のバスエプロンの取付構造。
【請求項４】
前記第１の支持部は、前記当接部に形成され前記ねじ部が横方向にスライドして入り込むスリットを有し、
前記規制部は、前記ねじ部の軸を前記スリットに係合させることであることを特徴とする請求項３記載のバスエプロンの取付構造。
【請求項５】
前記第１の支持部および前記第１のエプロンのいずれか一方は、前記浴槽の方向へ向かうにつれて上方へ傾斜した案内面と、前記案内面からみて前記浴槽の側に形成され前記浴槽の方向へ向かうにつれて下方へ傾斜した逃げ面と、を有する弾力性の凸部を有し、
前記第１の支持部および前記第１のエプロンのいずれか他方は、前記背面に形成され前記凸部に係合する凹部を有することを特徴とする請求項１〜４のいずれか１つに記載のバスエプロンの取付構造。
【発明の詳細な説明】
【技術分野】
【０００１】
本発明の態様は、一般的に、バスエプロンの取付構造に関し、具体的には浴槽と洗い場との間に取り付けられるバスエプロンの取付構造に関する。
【背景技術】
【０００２】
浴槽エプロンの取付構造として、例えば、床パンの土手部に設けた弾力性を有するエプロン支持部材に浴槽エプロンの下端部を係合させる構造がある（特許文献１）。また、一方のエプロンと他方のエプロンが取付金具で床パンに取り付け可能に形成された分割型の浴槽エプロンがある（特許文献２）。特許文献２に記載された分割型の浴槽エプロンでは、他方のエプロンに設けられた繋ぎ部を一方のエプロンの裏面に押圧して一方のエプロンと他方のエプロンを接続する接続具が、設けられている。
【０００３】
しかし、特許文献１および特許文献２に記載のバスエプロンの取付構造では、浴槽や洗い場の土手部などが精度よく成型されていないと、バスエプロンの上端のラインと浴槽のリム下面のラインとが平行とはならない場合がある。この場合には、バスエプロン、浴槽、あるいは浴室ユニットの見栄えの向上という点において改善の余地がある。
【先行技術文献】
【特許文献】
【０００４】
【特許文献１】特開２００２−３４８１５号公報
【特許文献２】特開２０１１−２０６１７６号公報
【発明の概要】
【発明が解決しようとする課題】
【０００５】
本発明は、かかる課題の認識に基づいてなされたものであり、見栄えの向上を図ることができるバスエプロンの取付構造を提供することを目的とする。
【課題を解決するための手段】
【０００６】
第１の発明は、洗い場と、前記洗い場に隣接して設置される浴槽と、前記洗い場および前記浴槽の周囲に設置される複数の壁パネルと、を備えた浴室ユニットにおいて前記浴槽の前記洗い場の側を覆うバスエプロンの取付構造であって、前記洗い場の側からみて前記バスエプロンが左右に分割された第１のエプロンおよび第２のエプロンと、前記浴槽の周辺部に設けられたリムの前記洗い場の側の裏面に形成され前記バスエプロンが係止される被係止部と、前記第１のエプロンおよび前記第２のエプロンのそれぞれの上端部に設けられ前記被係止部に係止される係止部と、前記第２のエプロンの前記第１のエプロンの側において前記浴槽の側の背面に設けられ前記第１のエプロンの端部を支持する第１の支持部と、前記壁パネルまたは前記浴槽に取り付けられ前記第１のエプロンおよび前記第２のエプロンのそれぞれの端部を支持する支持部材と、前記洗い場の前記浴槽の側に形成された土手部に設けられ前記第２のエプロンを下から押し上げて前記第２のエプロンの前記係止部を前記被係止部に係止させる第２の支持部と、前記第２のエプロンの前記第１のエプロンの側の下端部の前後方向の移動を規制する規制部と、を備えたことを特徴とするバスエプロンの取付構造である。
【０００７】
このバスエプロンの取付構造によれば、洗い場の側からみて左右に分割されたバスエプロンの壁パネルの側のそれぞれの端部は、バスエプロンの上端部が被係止部に係止された状態で支持部材に支持されている。第２のエプロンの第１のエプロンの側の端部は、浴槽に押し当てられ第２の支持部で支持されている。第１のエプロンの第２のエプロンの側の端部は、第２のエプロンに設けられた第１の支持部で支持されている。これにより、バスエプロンの上端のラインを浴槽のリムの下面のラインと平行にすることができる。そのため、バスエプロン、浴槽、あるいは浴室ユニットの見栄えの向上を図ることができる。
【０００８】
第２の発明は、第１の発明において、前記第２の支持部は、前記第１の支持部の当接部の下面に当接する受け面を有し、前記受け面の上下位置を調整可能な高さ調整部材であることを特徴とするバスエプロンの取付構造である。
【０００９】
このバスエプロンの取付構造によれば、第２の支持部の受け面の高さ（上下位置）を調整することができるため、例えば浴槽や洗い場の土手部に製造上の誤差が生じても、バスエプロンの上端のラインを浴槽のリムの下面のラインと平行にすることができる。
【００１０】
第３の発明は、第２の発明において、前記高さ調整部材は、前記受け面を途中に有し前記土手部に取り付けられたベース部材に螺合されるねじ部と、前記受け面よりも上方に設けられ前記ねじ部を回転させて前記受け面の前記上下位置を調整する掴み部と、を有することを特徴とするバスエプロンの取付構造である。
【００１１】
このバスエプロンの取付構造によれば、第１のエプロンを取り付ける前に、第２のエプロンの端から手を回して掴み部を回転させるだけで第２の支持部の受け面の高さを調整することができる。これにより、より簡単に、バスエプロンの上端のラインを浴槽のリムの下面のラインと平行にすることができる。
【００１２】
第４の発明は、第３の発明において、前記第１の支持部は、前記当接部に形成され前記ねじ部が横方向にスライドして入り込むスリットを有し、前記規制部は、前記ねじ部の軸を前記スリットに係合させることであることを特徴とするバスエプロンの取付構造である。
【００１３】
このバスエプロンの取付構造によれば、第２のエプロン４２０を横方向にスライドさせてねじ部をスリットに係合させるだけの簡単な作業で、バスエプロンのガタツキを抑えることができる。
【００１４】
第５の発明は、第１〜第４のいずれか１つの発明において、前記第１の支持部および前記第１のエプロンのいずれか一方は、前記浴槽の方向へ向かうにつれて上方へ傾斜した案内面と、前記案内面からみて前記浴槽の側に形成され前記浴槽の方向へ向かうにつれて下方へ傾斜した逃げ面と、を有する弾力性の凸部を有し、前記第１の支持部および前記第１のエプロンのいずれか他方は、前記背面に形成され前記凸部に係合する凹部を有することを特徴とするバスエプロンの取付構造である。
【００１５】
このバスエプロンの取付構造によれば、第１のエプロンの上端部に設けられた係止部を被係止部に係止させた状態において、第１のエプロンの下端部を前方から後方へ押し込むだけで、第１の支持部および第１のエプロンのいずれか一方の凹部を第１の支持部および第１のエプロンのいずれか他方の凸部に係合させることができる。これにより、洗い場の側からみて左右に分割されたバスエプロンの前面を略同じ面とすることができる。
【発明の効果】
【００１６】
本発明の態様によれば、見栄えの向上を図ることができるバスエプロンの取付構造が提供される。
【図面の簡単な説明】
【００１７】
【図１】本発明の実施の形態にかかるバスエプロンの取付構造が設けられた浴室ユニットを表す模式的斜視図である。
【図２】本実施形態にかかるバスエプロンの取付構造を説明するための模式的斜視図である。
【図３】バスエプロンが浴槽に係止された状態を表す模式的断面図である。
【図４】本実施形態の変形例にかかるバスエプロンが浴槽に係止された状態を表す模式的断面図である。
【図５】本実施形態の第２のエプロンを表す模式的斜視図である。
【図６】本実施形態の第１の支持部を表す模式図である。
【図７】本実施形態の第２の支持部を表す模式図である。
【図８】本実施形態の第１のエプロンを表す模式的斜視図である。
【図９】本実施形態の第１のエプロンガイドを表す模式的斜視図である。
【図１０】本実施形態のバスエプロンの取付方法を説明する模式的斜視図である。
【図１１】本実施形態のバスエプロンの取付方法を説明する模式的斜視図である。
【図１２】本実施形態のバスエプロンの取付方法を説明する模式的斜視図である。
【図１３】本実施形態のバスエプロンの取付方法を説明する模式的斜視図である。
【図１４】本実施形態のバスエプロンの取付方法を説明する模式的斜視図である。
【図１５】本実施形態のバスエプロンの取付方法を説明する模式的斜視図である。
【図１６】本実施形態のバスエプロンの取付方法を説明する模式的斜視図である。
【図１７】本実施形態のバスエプロンの取付方法を説明する模式的斜視図である。
【発明を実施するための形態】
【００１８】
以下、本発明の実施の形態について図面を参照しつつ説明する。なお、各図面中、同様の構成要素には同一の符号を付して詳細な説明は適宜省略する。  
図１は、本発明の実施の形態にかかるバスエプロンの取付構造が設けられた浴室ユニットを表す模式的斜視図である。
【００１９】
図１に表した浴室ユニット１０は、架台１００と、洗い場床（洗い場）２００と、浴槽３００と、バスエプロン４００と、壁パネル５００と、を備える。  
架台１００は、下部に設けられた支持脚１１０を有し、図示しない建物床の上に載置されている。洗い場床２００は、架台１００の上に設置されている。
【００２０】
本実施形態の浴室ユニット１０には、複数の壁パネル５００が設けられている。具体的には、壁パネル５００は、浴槽３００の洗い場床２００の側を除くリム部３１０の外周部（周辺部）に設置されている。また、壁パネル５００は、洗い場床２００の浴槽３００の側を除く外周部（周辺部）に設置されている。なお、壁パネル５００の設置数は、図１に表した壁パネル５００の設置数だけに限定されるわけではない。なお、説明の便宜上、図１に表した浴室ユニット１０では、洗い場床２００の周辺部に設けられた壁パネル５００の一部を省略している。
【００２１】
浴槽３００は、架台１００の上に設置され、洗い場床２００の側方に隣接するように配置されている。バスエプロン４００は、洗い場床２００と浴槽３００との間に設置され、浴槽３００の側面を覆っている。つまり、バスエプロン４００は、洗い場床２００と浴槽３００との間に形成される開口を塞ぐように取り付けられている。バスエプロン４００は、洗い場床２００の側からみて左右に分割されており、第１のエプロン４１０と第２のエプロン４２０とを有する。図１に表したバスエプロン４００では、第１のエプロン４１０が第２のエプロン４２０よりも大きいが、第１のエプロン４１０と第２のエプロン４２０との大小関係は、これだけに限定されるわけではない。
【００２２】
図１に表したように、バスエプロン４００の両端部のそれぞれの側方には、内壁パネル（壁パネル）５１０が設けられている。内壁パネル５１０は、浴槽３００の下方に設けられ、壁パネル５００と同様に浴室ユニット１０の外部と内部とを隔離する機能を有する。そこで、本願明細書において、「壁パネル」という範囲には、浴槽の下方に設けられ壁パネルよりも小さい内壁パネルが含まれるものとする。図１に表したように、バスエプロン４００の下部がバスエプロン４００の上部よりも浴槽３００の側に配置されている場合には、内壁パネル５１０がバスエプロン４００の下部の両側に見えることがある。
【００２３】
図２は、本実施形態にかかるバスエプロンの取付構造を説明するための模式的斜視図である。  
図３は、バスエプロンが浴槽に係止された状態を表す模式的断面図である。  
図４は、本実施形態の変形例にかかるバスエプロンが浴槽に係止された状態を表す模式的断面図である。  
なお、図２は、浴槽３００の側の斜め上方からバスエプロン４００を眺めたときの模式的斜視図である。説明の便宜上、図２に表した浴室ユニット１０では、浴槽３００、壁パネル５００、および内壁パネル５１０を省略している。図３および図４は、図１に表した切断面Ａ−Ａにおける模式的断面図である。
【００２４】
図２に表したように、第１のエプロン４１０の第２のエプロン４２０とは反対側（内壁パネル５１０側）の端部には、第１のエプロンガイド（支持部材）４６０が設けられている。第１のエプロンガイド４６０は、リム部３１０の洗い場床２００の側の裏面３１１に設けられた被係止部３１３（図３参照）に上面４６１が当接された状態で、内壁パネル５１０あるいは浴槽３００に取り付けられている。これにより、第１のエプロンガイド４６０の上下方向の位置が決まる。第１のエプロンガイド４６０の下部には、ばね４６３が設けられている。
【００２５】
第１のエプロン４１０の第２のエプロン４２０とは反対側の端部の下部には、第１のエプロンガイド４６０のばね４６３と係合可能な係合部４１１が設けられている。また、図３に表したように、第１のエプロン４１０の上端部には、係止部４１３が設けられている。第１のエプロン４１０を取り付ける場合には、図３に表した矢印Ａ１のように、リム部３１０の裏面３１１の方向へ第１のエプロン４１０を移動させ、係止部４１３をリム部３１０の被係止部３１３に係止させる。続いて、第１のエプロン４１０の係合部４１１を第１のエプロンガイド４６０のばね４６３に係合させる。これについては、後に詳述する。
【００２６】
なお、本願明細書において「係止」とは、部材同士が当接することだけではなく、部材同士の間に隙間がある場合でも一方の部材が他方の部材の外れを防止することを含むものとする。そのため、本実施形態において、第１のエプロン４１０の係止部４１３と、リム部３１０の被係止部３１３と、の間に隙間がある場合でも、リム部３１０の周辺部から下方へ延在する垂下部３１５が第１のエプロン４１０の外れを防止している状態は、係止状態という範囲に含まれる。あるいは、第１のエプロン４１０の係止部４１３の上面にパッキンなどが付設されている場合において、そのパッキンがリム部３１０の被係止部３１３に当接し潰れている状態は、第１のエプロン４１０の係止部４１３がリム部３１０の被係止部３１３と直接的に当接していなくとも係止状態に含まれる。
【００２７】
図２に表したように、第２のエプロン４２０の第１のエプロン４１０とは反対側（内壁パネル５１０の側）の端部には、第２のエプロンガイド（支持部材）４７０が設けられている。第２のエプロンガイド４７０は、第１のエプロンガイド４６０と同様に、上面４７１が被係止部３１３に当接された状態で、内壁パネル５１０あるいは浴槽３００に取り付けられている。これにより、第２のエプロンガイド４７０の上下方向の位置が決まる。そして、第２のエプロン４２０の内壁パネル５１０の側の端部は、第２のエプロンガイド４７０により支持されている。
【００２８】
第２のエプロン４２０の上端部に設けられた係止部４２３がリム部３１０の被係止部３１３に係止された状態は、第１のエプロン４１０の係止部４１３がリム部３１０の被係止部３１３に係止された状態と同様である。
【００２９】
ここで、図１に関して前述したように、バスエプロン４００は、洗い場床２００の側からみて左右に分割され、第１のエプロン４１０と第２のエプロン４２０とを有する。この場合において、例えば浴槽３００に製造誤差などが生ずると、第１のエプロン４１０の上端４１５（図３参照）のラインと、第２のエプロン４２０の上端４２５（図３参照）のラインと、浴槽３００のリム部３１０の下面３１６（図３参照）のラインと、が平行とはならない場合がある。ここで、本願明細書において「バスエプロンの上端のライン」とは、洗い場床２００の側からみえるバスエプロン４００（第１のエプロン４１０および第２のエプロン４２０）の上端４１５、４２５のラインをいうものとする。  
この場合には、バスエプロン４００、浴槽３００、あるいは浴室ユニット１０の見栄えが悪くなる。
【００３０】
あるいは、図４に表した変形例のバスエプロンにおいて、第１のエプロン４１０ａの上端４１５ａのラインと、第２のエプロン４２０ａの上端４２５ａのラインと、浴槽３００のリム部３１０の下面３１６のラインと、が平行とはならない場合がある。  
この場合においても、バスエプロン（第１のエプロン４１０ａおよび第２のエプロン４２０ａ）、浴槽３００、あるいは浴室ユニット１０の見栄えが悪くなる。
【００３１】
これに対して、本実施形態にかかるバスエプロンの取付構造では、図２に表したように、第１の支持部４３０が第２のエプロン４２０の第１のエプロン４１０の側の背面（浴槽３００の側の面）に設けられている。第１の支持部４３０は、第１のエプロン４１０の端部を支持する。また、第２の支持部４４０が洗い場床２００の浴槽３００の側に形成された土手部２１０に設けられている。第２の支持部４４０は、第２のエプロン４２０を下から押し上げて第２のエプロンの係止部４２３をリム部３１０の被係止部３１３に係止させる。またさらに、規制部が設けられている。規制部は、第２のエプロン４２０の第１のエプロン４１０の側の下端部の前後方向の移動を規制する。
【００３２】
ここで、本願明細書においては、例えば建物床などに対して平行な水平方向であって、浴槽３００から洗い場床２００へ向かう方向を「前方」とし、洗い場床２００から浴槽３００へ向かう方向を「後方」とする。
【００３３】
また、第１のエプロン４１０の第２のエプロン４２０の側の端部の下部には、第１の支持部４３０と係合可能な係合部４１２が設けられている。第１のエプロン４１０が取り付けられた状態では、第１のエプロン４１０の係合部４１２は、第１の支持部４３０と係合している。すなわち、第１のエプロン４１０の両側の下端部は、係合部４１１が第１のエプロンガイド４６０のばね４６３に係合され、係合部４１２が第１の支持部４３０と係合されることで固定されている。
【００３４】
本実施形態によれば、洗い場床２００の側からみて左右に分割されたバスエプロン４００の内壁パネル５１０の側のそれぞれの端部は、バスエプロン４００の上面が被係止部３１３に当接された状態で第１のエプロンガイド４６０および第２のエプロンガイド４７０にそれぞれ支持されている。第２のエプロン４２０の第１のエプロン４１０の側の端部は、浴槽３００に押し当てられ第２の支持部で支持されている。第１のエプロン４１０の第２のエプロン４２０の側の端部は、第２のエプロン４２０に設けられた第１の支持部で支持されている。これにより、第１のエプロン４１０の上端４１５のラインと、第２のエプロン４２０の上端４２５のラインと、浴槽３００のリム部３１０の下面３１６のラインと、を平行にすることができる。そのため、バスエプロン４００、浴槽３００、あるいは浴室ユニット１０の見栄えの向上を図ることができる。
【００３５】
また、第２のエプロン４２０の第１のエプロン４１０の側の下端部の前後方向の移動は、洗い場床２００の土手部２１０に設けられた規制部により規制される。また、第１のエプロン４１０の下端部の係合部４１２は、第２のエプロン４２０の下端部の第１の支持部４３０に係止される。そのため、バスエプロン４００のガタツキを抑えることができる。
【００３６】
次に、本実施形態にかかるバスエプロンの取付構造について、図面を参照しつつさらに説明する。  
図５は、本実施形態の第２のエプロンを表す模式的斜視図である。  
また、図６は、本実施形態の第１の支持部を表す模式図である。  
なお、図５（ｂ）は、図５（ａ）に表した領域Ａ２を拡大して眺めた模式的斜視図である。図６（ａ）は、本実施形態の第１の支持部を表す模式的斜視図である。図６（ｂ）は、本実施形態の第１の支持部を上方から眺めた模式的平面図である。図６（ｃ）は、本実施形態の第１の支持部を側方から眺めた模式的平面図である。
【００３７】
図５（ａ）に表したように、第２のエプロン４２０の第１のエプロン４１０の側の背面には、第１の支持部４３０が設けられている。図６（ａ）〜図６（ｃ）に表したように、第１の支持部４３０は、上方へ突出した凸部４３１を有する。凸部４３１は、弾力性を有する。また、第１の支持部４３０の凸部４３１は、案内面４３２と逃げ面４３３とを有する。案内面４３２は、逃げ面４３３からみて洗い場床２００の側に形成され、浴槽３００の方向へ向かうにつれて上方へ傾斜した面を有する。逃げ面４３３は、案内面４３２からみて浴槽３００の側に形成され、浴槽３００の方向へ向かうにつれて下方へ傾斜した面を有する。
【００３８】
また、第１の支持部４３０は、第２の支持部４４０と当接する当接部４３５を有する。当接部４３５には、スリット４３６が形成されている。スリット４３６については、図７に関して後述する。
【００３９】
第２のエプロン４２０の内壁パネル５１０の側の端部には、係合部４２９が設けられている。係合部４２９は、第２のエプロン４２０の所定箇所と係合可能である。そのため、第２のエプロンが取り付けられた状態では、第２のエプロン４２０の内壁パネル５１０の側の端部は、係合部４２９が第２のエプロン４２０の所定箇所と係合することで第２のエプロンガイド４７０により支持されている。
【００４０】
図７は、本実施形態の第２の支持部を表す模式図である。  
なお、図７（ａ）は、本実施形態の第２の支持部を表す模式的斜視図である。図７（ｂ）は、本実施形態の第２の支持部を上方から眺めた模式的平面図である。図７（ｃ）は、本実施形態の第２の支持部を側方から眺めた模式的平面図である。
【００４１】
図７（ａ）〜図７（ｃ）に表したように、本実施形態の第２の支持部４４０は、ベース部材４４５と、ねじ部４４１と、ロックナット４４９と、を有する。ベース部材４４５は、貫通孔４４６と、雄ねじ４４７と、を有する。例えばねじなどの締結部材を貫通孔４４６を通して洗い場床２００の土手部２１０に締結することで、ベース部材４４５を洗い場床２００の土手部２１０に固定することができる。
【００４２】
ねじ部４４１は、軸４４１ａと、受け面４４２と、掴み部４４３と、を有する。軸４４１ａは、図６（ｂ）に表した矢印Ａ３のように、第１の支持部４３０の当接部４３５に形成されたスリット４３６に対してスライドして入り込むことができる。受け面４４２は、ねじ部４４１の途中に設けられている。掴み部４４３は、受け面４４２よりも上方に設けられている。
【００４３】
軸４４１ａがスリット４３６に入り込んだときには、受け面４４２は、第１の支持部４３０の当接部４３５の下面（支持面）と当接し、第１の支持部４３０を受けるあるいは支持することができる。ねじ部４４１は、ベース部材４４５の雄ねじ４４７と螺合されている。そのため、例えば施工者などは、掴み部４４３を回転させることで受け面４４２を上下に移動させ、受け面４４２の高さ（上下位置）を調整することができる。
【００４４】
受け面４４２が第１の支持部４３０の当接部４３５の下面と当接した状態で、施工者などが掴み部４４３を回転させると、受け面４４２の高さが上下に変化することで第１の支持部４３０の高さが変化する。図５に関して前述したように、第１の支持部４３０は、第第２のエプロン４２０の第１のエプロン４１０の側の背面に設けられている。そのため、施工者は、掴み部４４３を回転させて受け面４４２の高さを調整することで、第１の支持部４３０が設けられた第２のエプロン４２０の高さを調整することができる。
【００４５】
これによれば、第２の支持部４４０の受け面４４２の高さを調整することができるため、例えば浴槽３００や洗い場床２００の土手部２１０に製造上の誤差が生じても、第１のエプロン４１０の上端４１５のラインと、第２のエプロン４２０の上端４２５のラインと、浴槽３００のリム部３１０の下面３１６のラインと、を平行にすることができる。また、第１のエプロン４１０を取り付ける前に、第２のエプロン４２０の端から手を回して掴み部４４３を回転させるだけで第２の支持部４４０の受け面４４２の高さを調整することができる。これにより、より簡単に、第１のエプロン４１０の上端４１５のラインと、第２のエプロン４２０の上端４２５のラインと、浴槽３００のリム部３１０の下面３１６のラインと、を平行にすることができる。
【００４６】
また、前述したように、第２の支持部４４０のねじ部４４１の軸４４１ａは、第１の支持部４３０の当接部４３５に形成されたスリット４３６に対してスライドして入り込むことができる。軸４４１ａがスリット４３６に入り込んだ状態では、軸４４１ａは、スリット４３６の側壁により前後方向（図５（ｂ）参照）の移動を規制される。これにより、第２のエプロン４２０を横方向（前後方向および上下方向に対して垂直方向）にスライドさせて軸４４１ａをスリット４３６に係合させるだけの簡単な作業で、バスエプロン４００のガタツキを抑えることができる。つまり、第２の支持部４４０のねじ部４４１は、図２〜図４に関して前述した規制部としての機能を有する。
【００４７】
図８は、本実施形態の第１のエプロンを表す模式的斜視図である。  
図９は、本実施形態の第１のエプロンガイドを表す模式的斜視図である。  
なお、図８（ｂ）は、図８（ａ）に表した領域Ａ３を拡大して眺めた模式的斜視図である。図８（ｃ）は、図８（ａ）に表した領域Ａ４を拡大して眺めた模式的斜視図である。
【００４８】
図８（ａ）に表したように、第１のエプロン４１０の第２のエプロン４２０とは反対側の端部の下部には、係合部４１１が設けられている。また、第１のエプロン４１０の第２のエプロン４２０の側の端部の下部には、係合部４１２が設けられている。図８（ｂ）に表したように、係合部４１２は、凹部４１８を有する。図８（ｃ）に表したように、係合部４１１は、凹部４１７を有する。
【００４９】
図９（ａ）および図９（ｂ）に表したように、第１のエプロンガイド４６０の下部には、ばね４６３が設けられている。図９（ｂ）に表したように、ばね４６３は、上方へ突出した凸形状を呈し、弾力性を有する。ばね４６３は、第１の支持部４３０の凸部４３１と同様に、案内面４６４と逃げ面４６５とを有する。案内面４６４は、逃げ面４６５からみて洗い場床２００の側に形成され、浴槽３００の方向へ向かうにつれて上方へ傾斜した面を有する。逃げ面４６５は、案内面４６４からみて浴槽３００の側に形成され、浴槽３００の方向へ向かうにつれて下方へ傾斜した面を有する。
【００５０】
第１のエプロン４１０が取り付けられた状態では、第１のエプロン４１０の係合部４１１の凹部４１７は、第１のエプロンガイド４６０のばね４６３と係合している。また、第１のエプロン４１０が取り付けられた状態では、第１のエプロン４１０の係合部４１２の凹部４１８は、第１の支持部４３０の凸部４３１と係合している。
【００５１】
これによれば、第１のエプロン４１０の上端部に設けられた係止部４１３をリム部３１０の被係止部３１３に係止させた状態において、第１のエプロン４１０の下端部を前方から後方へ押し込むだけで、第１のエプロン４１０の係合部４１２の凹部４１８を第１の支持部４３０の凸部４３１に係合させることができる。また、第１のエプロン４１０の係合部４１１の凹部４１７を第１のエプロンガイド４６０のばね４６３に係合させることができる。これにより、洗い場床２００の側からみて左右に分割されたバスエプロン４００の前面を略同じ面とすることができる。
【００５２】
なお、本実施形態では、第１のエプロン４１０の係合部４１２が凹部４１８を有し、第１の支持部４３０が凸部４３１を有するが、凹凸の関係は、これだけに限定されるわけではない。また、本実施形態では、第１のエプロン４１０の係合部４１１が凹部４１７を有し、第１のエプロンガイド４６０が上方へ突出した凸形状を呈するが、凹凸の関係は、これだけに限定されるわけではない。すなわち、第１のエプロン４１０の係合部４１２が凸部を有し、第１の支持部４３０が凹部を有していてもよい。また、第１のエプロン４１０の係合部４１１が凸部を有し、第１のエプロンガイド４６０が凹部を有していてもよい。
【００５３】
次に、本実施形態のバスエプロンの取付方法について、図面を参照しつつ説明する。  
図１０〜図１７は、本実施形態のバスエプロンの取付方法を説明する模式的斜視図である。
【００５４】
まず、図１０に表したように、施工者等は、第２の支持部４４０のベース部材４４５をねじなどの締結部材４９１を用いて洗い場床２００の土手部２１０に固定する。続いて、施工者等は、ベース部材４４５の雄ねじ４４７にロックナット４４９およびねじ部４４１を螺合させる。
【００５５】
続いて、図１１に表したように、施工者等は、第１エプロンガイド４６０および第２のエプロンガイド４７０を内壁パネル５１０に締結部材４９１を用いて固定する。すなわち、施工者等は、図１２（ａ）に表した矢印Ａ１２のように、第１のエプロンガイド４６０を移動させ、図１２（ｂ）に表したように、第１のエプロンガイド４６０を内壁パネル５１０に締結部材４９１を用いて固定する。また、施工者等は、図１３（ａ）に表した矢印１３のように、第２のエプロンガイド４７０を移動させ、図１３（ｂ）に表したように、第２のエプロンガイド４７０を内壁パネル５１０に締結部材４９１を用いて固定する。
【００５６】
続いて、施工者等は、図１４（ａ）に表した矢印Ａ１４のように、第２のエプロン４２０の上端部に設けられた係止部４２３をリム部３１０の被係止部３１３に係止させる。続いて、施工者等は、図１４（ａ）に表した矢印Ａ１５のように、第２のエプロン４２０を横方向にスライドさせる。このとき、施工者等は、図１４（ｂ）に表した矢印Ａ１６のように、第２の支持部４４０のねじ部４４１の軸４４１ａを第１の支持部４３０の当接部４３５に形成されたスリット４３６に入り込ませる。
【００５７】
こうすることで、第２の支持部４４０の受け面４４２が、第１の支持部４３０の当接部４３５の下面と当接し、第１の支持部４３０を受けるあるいは支持することができる。続いて、施工者等は、図１５に表した矢印Ａ１７および図１６（ａ）に表した矢印Ａ１９のように、掴み部４４３を回転させて受け面４４２の高さを調整する。すると、受け面４４２の高さが上下に変化することで、第１の支持部４３０の高さが変化する。これにより、図１５に表した矢印Ａ１８および図１６（ａ）に表した矢印Ａ２１のように、施工者等は、第１の支持部４３０が設けられた第２のエプロン４２０の高さを調整することができる。そして、施工者等は、第２のエプロン４２０の上端４２５のラインが浴槽３００のリム部３１０の下面３１６のラインと平行になるようにする。
【００５８】
続いて、施工者等は、図１６（ｂ）に表した矢印Ａ２２のように、ロックナット４４９を回転させ、図１６（ｂ）に表した矢印Ａ２３のように、ロックナット４４９の高さを調整する。そして、施工者等は、ロックナット４４９がねじ部４４１と当接し回転しなくなるまで、ロックナット４４９を回転させる。これにより、ねじ部４４１が緩み低下することを抑え、第２のエプロン４２０の高さが低下することを抑えることができる。
【００５９】
続いて、施工者等は、図１７（ａ）に表した矢印Ａ２４、矢印Ａ２５、および矢印Ａ２６のように、第１のエプロン４１０の上端部に設けられた係止部４１３をリム部３１０の被係止部３１３に係止させる。そして、施工者等は、第１のエプロン４１０の上端４１５のラインが浴槽３００のリム部３１０の下面３１６のラインと平行になるようにする。続いて、施工者等は、図１７（ｂ）に表した矢印Ａ２７および矢印Ａ２８のように、第１のエプロン４１０の下端部を前方から後方へ押し込む。そして、施工者等は、第１のエプロン４１０の係合部４１２の凹部４１８を第１の支持部４３０の凸部４３１に係合させる。また、施工者等は、第１のエプロン４１０の係合部４１１の凹部４１７を第１のエプロンガイド４６０のばね４６３に係合させる。
【００６０】
本実施形態によれば、第１のエプロン４１０の係合部４１２の凹部４１８を、第２のエプロン４２０に設けられた第１の支持部４３０の凸部４３１に係合させる。言い換えれば、第２のエプロン４２０に設けられた第１の支持部４３０の凸部４３１を基準として第１のエプロン４１０を取り付ける。そのため、第１のエプロン４１０の上端４１５のラインと、第２のエプロン４２０の上端４２５のラインと、浴槽３００のリム部３１０の下面３１６のラインと、を平行にすることができる。すなわち、バスエプロン４００の上端のラインと、浴槽３００のリム部３１０の下面３１６のラインと、を平行にすることができる。そのため、バスエプロン４００、浴槽３００、あるいは浴室ユニット１０の見栄えの向上を図ることができる。
【００６１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、バスエプロン４００やエプロンガイド４６０、４７０などが備える各要素の形状、寸法、材質、配置などや第１の支持部４３０や第２の支持部４４０などの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６２】
１０ 浴室ユニット、  １００ 架台、  １１０ 支持脚、  ２００ 洗い場床、  ２１０ 土手部、  ３００ 浴槽、  ３１０ リム部、  ３１１ 裏面、  ３１３ 被係止部、  ３１５ 垂下部、  ３１６ 下面、  ４００ バスエプロン、  ４１０、４１０ａ 第１のエプロン、  ４１１、４１２ 係合部、  ４１３ 係止部、  ４１５、４１５ａ 上端、  ４１７、４１８ 凹部、  ４２０、４２０ａ 第２のエプロン、  ４２３ 係止部、  ４２５、４２５ａ 上端、  ４２９ 係合部、  ４３０ 第１の支持部、  ４３１ 凸部、  ４３２ 案内面、  ４３３ 逃げ面、  ４３５ 当接部、  ４３６ スリット、  ４４０ 第２の支持部、  ４４１ ねじ部、  ４４１ａ 軸、  ４４２ 受け面、  ４４３ 掴み部、  ４４５ ベース部材、  ４４６ 貫通孔、  ４４７ 雄ねじ、  ４４９ ロックナット、  ４６０ 第１のエプロンガイド、  ４６１ 上面、  ４６３ ばね、  ４６４ 案内面、  ４６５ 逃げ面、  ４７０ 第２のエプロンガイド、  ４７１ 上面、  ４９１ 締結部材、  ５００ 壁パネル、  ５１０ 内壁パネル
【図１】
0006016074.tif 000002
【図２】
0006016074.tif 000003
【図３】
0006016074.tif 000004
【図４】
0006016074.tif 000005
【図５】
0006016074.tif 000006
【図６】
0006016074.tif 000007
【図７】
0006016074.tif 000008
【図８】
0006016074.tif 000009
【図９】
0006016074.tif 000010
【図１０】
0006016074.tif 000011
【図１１】
0006016074.tif 000012
【図１２】
0006016074.tif 000013
【図１３】
0006016074.tif 000014
【図１４】
0006016074.tif 000015
【図１５】
0006016074.tif 000016
【図１６】
0006016074.tif 000017
【図１７】
0006016074.tif 000018